(57)【特許請求の範囲】
【請求項１】
緑化すべき施工面上に敷設した防草マットに多数形成した各マット開口部から、前記施工面の地中に埋め込まれて、内部に植生植物が植え込まれる防草キャップであって、
前記地中内に埋め込まれることになる筒部に、一部が前記地中に突出することになる浮き上がり防止手段を取り付けるにあたって、
この浮き上がり防止手段を、筒部に取り付けられる取付基部と、この取付基部の一端に一体化した抜け止め部と、前記取付基部の他端に一体化した係止爪とを有した抜け止め具とし、
前記係止爪を前記筒部に係止したことを特徴とする防草キャップ。
【請求項２】
緑化すべき施工面上に敷設した防草マットに多数形成した各マット開口部から、前記施工面の地中に埋め込まれて、内部に植生植物が植え込まれる防草キャップであって、
前記地中内に埋め込まれることになる筒部に、一部が前記地中に突出することになる浮き上がり防止手段を取り付けるにあたって、
この浮き上がり防止手段を、筒部に取り付けられる取付基部と、この取付基部の一端に一体化した抜け止め部と、前記取付基部の他端に一体化した係止爪を有した抜け止め具とし、
前記係止爪を前記防草マットのマット開口部近傍に係止したことを特徴とする防草キャップ。
【請求項３】
緑化すべき施工面上に、その除草を行った後に防草マットを敷設し、
この防草マットに多数形成した各マット開口部から、前記施工面の地中に埋め込まれることになる筒部と、これに取り付けた浮き上がり防止手段である請求項１または請求項２のいずれかに記載の抜け止め具と、前記筒部の上端に一体的に形成したつば部とを備えた防草キャップを埋め込むにあたって、この防草キャップの前記つば部によって、前記マット開口部の周囲の防草マットを被うことにより、前記防草キャップの筒部内以外の前記施工面を露出させないようにするとともに、前記筒部の周囲に前記つば部と防草マットとの重なり部分を積極的に形成した後、
前記防草キャップの筒部内に植生植物を植栽するようにしたことを特徴とする緑化工法。
【発明の詳細な説明】
【技術分野】
【０００１】
本発明は、法面などの緑化を防草しながら行う防草キャップ、及びこれを使用した緑化工法に関するものである。
【背景技術】
【０００２】
各種法面や新規造成地等の施工面においては、その緑化を積極的に行って、法面等の美化と土砂の流亡を防止することが行われている。この緑化には、その法面の周囲環境に合わせた植生植物が選定されるが、ある程度の管理を行わないと、施工した緑化植物が、そうではない雑草に負けて絶えてしまい、元の雑草が繁茂した法面になってしまう。
【０００３】
このような緑化自体も、また緑化した植物の後管理も非常に労力の掛かるものであるから、これらの労力をできるだけ少なくするような工夫が、例えば特許文献１等の種々な手段によって行われている。
【特許文献１】特開平１１−２２９３８５号公報、要約、代表図
【発明の開示】
【発明が解決しようとする課題】
【０００４】
この特許文献１に提案されている「緑化工法」は、「平坦な公園緑地、又は傾斜した路肩、造成地等の法面に植え付けた植物を成長、繁茂させて地面を被覆することにより、自然光、風雨等による地面の侵食及び崩落を防止して保護安定化を図るとともに、緑化により景観を維持・向上させる緑化工法を提供する」ことを目的としてなされたもので、図１２に示すように、「シートを地面上に敷設し、地面に打ち込むのに適した強度と尖った下部とを有する苗木を植え付けた育苗ポットを所定の間隔をあけた配置でシートの上から土中に打ち込み固定する」という手段を採用しているものである。
【０００５】
この特許文献１の緑化工法では、図１２に示すように、「地面に打ち込むのに適した強度と尖った下部とを有する育苗ポットを土中に打ち込み固定する」ものであるから、「地面の侵食及び崩落を防止して保護安定化を図るとともに、緑化により景観を維持・向上させる」ことができるものと考えられる。
【０００６】
しかしながら、この特許文献１の「育苗ポット」は、「尖った下部を有する」だけであって土に対する抵抗になるものが何もないため、例えば大量に降った雨が上や周囲を流れたり、犬が走り回っただけでも施工面から簡単に浮き上がってしまい、「シート」や地面との間に隙間を形成し易いと考えられる。
【０００７】
よく知られているように、雑草は「根絶やし」しないと再び再生してくるものである。例えば、図１３の（ａ）に示すように、育苗ポットを用いないでシートに形成したマット開口部（２１）から植生植物の苗を植え付けた場合は勿論、図１３の（ｂ）に示すように、育苗ポットを使用してその周囲をシートによって覆うようにした場合も、雑草は、穴または隙間からその芽や根茎を延ばし、植生植物の周りに繁茂することになる。
【０００８】
従って、特許文献１に示されたような工法において使用される「育苗ポット」が浮き上がってしまって、シートとの間に隙間ができてしまうと、この隙間から雑草が繁茂し易くなると考えられる。
【０００９】
一方、シート上は、施工後長年に亘って雑草の繁茂はないが、それと同時に植生植物の繁茂もないから、このシートの表面がいつまでも人の目について、周囲環境の美化には全くならないことになる。
【００１０】
このような人工的なシート上も、植生植物による緑化が行えると、非常によいと考えられるが、そのようなシート上の緑化も行える植生植物として、近年「地被植物」が注目されてきている。「地被植物」は、株元から「匍匐茎」を周囲に延ばし、さらにこの匍匐茎の節目から根を出して増殖するものであり、匍匐茎からの根が十分活着できる環境であれば、他の雑草の繁茂を抑制するシート上であっても、十分生育しかつ繁茂し得る可能性を有している。現在、法面等の施工面を緑化する地被植物として注目されているのが、ヒメイワダレソウである。
【００１１】
しかしながら、このような有望と考えらる地被植物であっても、一般的に背丈が短く、比較的柔らかいものであるし、しかも匍匐茎が十分延び得る環境でないと、十分な繁茂は期待できない。つまり、他の雑草を完全に抑えてやらないと、ヒメイワダレソウを代表とする地被植物の施工面上での繁茂は期待できない。
【００１２】
そこで、本発明者等は、ヒメイワダレソウを代表とする地被植物等の植生植物を植え込んだ「育苗ポット」が浮き上がないようにするにはどうしたらよいか、について種々検討を重ねてきた結果、本発明を完成したのである。
【００１３】
すなわち、本発明の第１目的は、植生植物を植え込んで施工した防草キャップ（育苗ポット）が緑化すべき施工面から長期間浮き上がらないようにすることができて、施工面の緑化を確実に行うことのできる防草キャップを、簡単な構造によって提供することにある。
【００１４】
また、本発明の第２目的は、防草マットの隙間を完全に無くすことができて、防草効果を確実にすることのできる防草キャップを、簡単な構成によって提供することにある。
【００１５】
そして、本発明の第３目的は、本発明に係る防草キャップを採用しながら、防草効果が高くて、施工が簡単な緑化工法を提供することにある。
【課題を解決するための手段】
【００１６】
以上の課題を解決するために、まず、請求項１に係る発明の採った手段は、後述する最良形態の説明中で使用する符号を付して説明すると、
「緑化すべき施工面１０上に敷設した防草マット２０に多数形成した各マット開口部２１から、施工面１０の地中に埋め込まれて、内部に植生植物５０が植え込まれる防草キャップ３０であって、
前記地中に埋め込まれることになる筒部３１に、一部が前記地中に突出することになる浮き上がり防止手段４０を取り付けるにあたって、
この浮き上がり防止手段４０を、筒部３１に取り付けられる取付基部４１と、この取付基部４１の一端に一体化した抜け止め部４２と、取付基部４１の他端に一体化した係止爪４３を有した抜け止め具４０ａとし、
係止爪４３を筒部３１に係止したことを特徴とする防草キャップ３０」
である。
【００１７】
すなわち、この請求項１に係る防草キャップ３０は、図１及び図７に示すように、施工面１０に形成した苗床用穴１１内、つまり地中に埋め込まれることになる筒部３１と、この筒部３１に一体化した浮き上がり防止手段４０である抜け止め具４０ａとにより構成したものである。勿論、この防草キャップ３０は、後述する緑化工法を実施するに当たっても有用となるものであり、種々な材料によって形成できるものであるが、後述する最良形態のものでは、天然繊維や、パルプ繊維あるいは生分解性樹脂等の自然分解性材料によって一体的に形成したものである。
【００１８】
この請求項１に係る防草キャップ３０は、除草を行った後の施工面１０について、図３に示すようにして全面に防草マット２０を敷設し、この防草マット２０に多数形成した各マット開口部２１から、図１に示すように、施工面１０内に埋め込まれるものである。
【００１９】
この防草キャップ３０を施工面１０内（地中）に埋め込むに当たっては、図４に示すように、防草マット２０に多数形成した各マット開口部２１から、施工面１０に対して苗床用穴１１を手堀りで形成することもよいが、この苗床用穴１１は、図５や図１１に示すような穴開け杭６０を使用して形成してもよいものである。
【００２０】
なお、防草マット２０は、図３中にも示すように、運搬や保管が便利なように、一定幅の長尺なものを巻回してあるが、これを施工面１０上に展開して行くにあたって、その幅方向について重なるようにし、重なった部分は、杭や接着剤４０ｂ等によって隙間ができないように接合される。
【００２１】
この敷設された防草マット２０には、図３〜図６に示すように、マット開口部２１が多数形成してある。これらの各マット開口部２１からは、地中に、図７に示すような本発明に係る防草キャップ３０が埋め込まれるのであり、これにより、図６に示すように、防草キャップ３０以外が防草マット２０表面から露出されないようになされるのである。
【００２２】
本発明に係る防草キャップ３０の筒部３１は、防草マット２０のマット開口部２１から施工面１０内、つまり地中に挿入する部分であり、図１にも示すように、まだ幼いポット苗状態の植生植物５０の根または根茎５２を保護するものである。勿論、後述する最良形態の筒部３１は天然繊維等の自然分解性材料によって一体的に形成したものであるから、その内外への水の流通を可能にするとともに、筒部３１外の施工面１０中（地中）に残っている雑草の根等の侵入を阻止するものともなっている。
【００２３】
防草キャップ３０の筒部３１に取り付けた浮き上がり防止手段４０は、図１及び図８に示すような抜け止め具４０ａであり、この抜け止め具４０ａは、金属や合成樹脂によって筒部３１とは別体のものとして形成したものである。すなわち、抜け止め具４０ａは、防草キャップ３０及びその筒部３１とは、別の場所と材料によって形成されるものであり、完成した防草キャップ３０の筒部３１に後から取り付けられるものである。勿論、この抜け止め具４０ａ自体も、生分解性樹脂などによって形成することにより、その浮き上がり防止機能を十分発揮できる剛性を有したものとするとともに、自然に分解して施工面１０中（地中）に残らないようにできる。
【００２４】
換言すれば、この請求項１に係る防草キャップ３０は、図１及び図７に示すように、浮き上がり防止手段４０を有しているものであり、この浮き上がり防止手段４０は、防草キャップ３０の筒部３１と一体的になり、かつ施工面１０内に一部が伸び出すことにより、この伸び出した部分が施工面１０に対する抵抗となっているのである。この浮き上がり防止手段４０の伸び出した部分とは、その抜け止め部４２であってもよいし、この抜け止め部４２と取付基部４１との一体物であってもよく、要するに、当該浮き上がり防止手段４０の基部から施工面１０内に突出するものであれば何であってもよい。
【００２５】
つまり、この浮き上がり防止手段４０は、その突出する一部が施工面１０に対する抵抗となって、施工面１０に埋設した防草キャップ３０が簡単には浮き上がらないようにするものである。このため、この浮き上がり防止手段４０は、防草キャップ３０の筒部３１の、防草マット２０との間に、光の侵入や茎の伸び出しを引き起こす隙間ができるのを防止することになり、当該防草キャップ３０の防草効果を確実にするのである。
【００２６】
また、この浮き上がり防止手段４０は、簡単な構成によって防草キャップ３０とは別の部材として形成されて、防草キャップ３０の筒部３１に取り付けられるものであるから、防草キャップ３０そのものの製造を容易にもしている。
【００２７】
そして、本発明に係る防草キャップ３０において、天然繊維によって一体的に形成した筒部３１は、所定の剛性を有するから、次に述べるつば部３２の保持は勿論、上述した施工面１０内への挿入や打ち込みに十分耐え得るものとなっている。
【００２８】
従って、この請求項１の防草キャップ３０は、まず、浮き上がり防止手段４０の存在によって施工面１０からの抜け止めが果たれており、植生植物５０を植え込んで施工した防草キャップ３０が緑化すべき施工面１０から長期間浮き上がらず、植生植物５０の保護と防草効果を有していて、施工面１０の緑化を確実に行えるものとなっている。
【００２９】
そして、この請求項１に係る防草キャップ３０は、
「浮き上がり防止手段４０を、筒部３１に取り付けられる取付基部４１と、この取付基部４１の一端に一体化した抜け止め部４２と、取付基部４１の他端に一体化した係止爪４３を有した抜け止め具４０ａとし、
係止爪４３を筒部３１に係止した」
ものであった。
【００３０】
すなわち、この防草キャップ３０では、上記浮き上がり防止手段４０として抜け止め金具４０ａを採用しながら、この抜け止め金具４０ａを、筒部３１に取り付けられる取付基部４１と、この取付基部４１の一端に一体化した抜け止め部４２と、取付基部４１の他端に一体化した係止爪４３を有したものである。そして、この抜け止め金具４０ａの抜け止め部４２は、防草キャップ３０の筒部３１と一体的になり、かつ施工面１０内に伸び出すことにより、地面に対する抵抗物となっているのである。この抜け止め部４２は、抜け止め具４０ａの基部から地中に突出するものとなっていれば、どのような形状のものであってもよい。
【００３１】
取付基部４１は、図１及び図７の（ｂ）に示すように、当該抜け止め具４０ａを筒部３１に取り付けるものであり、かつ、その先端に一体化した抜け止め部４２を外方、つまり施工面１０内に大きく突出させながら、防草キャップ３０の筒部３１に支持するものである。なお、後述する最良形態では、この取付基部４１を「クリップ状」のものとすることにより、当該抜け止め具４０ａの防草キャップ３０に対する取り付けを簡単に行えるようにしているものであるが、この取付基部４１は、筒部３１の外面に取り付けられるのであれば、取付穴を形成した板状のもの等、どのような形状のものであってもよい。
【００３２】
この取付基部４１の外側先端には、図７の（ａ）に示すように、抜け止め部４２が一体化してある。この抜け止め部４２は、施工面１０内に突き刺さって強力な抵抗となり、防草キャップ３０を引き抜こうとしても抜けないようにするものである。
【００３３】
なお、後述する最良形態の防草キャップ３０では、その抜け止め具４０ａを、図８に示すように、板状材料によって形成したものであり、抜け止め部４２等の突出部の、施工面１０内の土に対する抵抗が大きくなるようにしたものである。
【００３４】
抜け止め具４０ａとしては、針金のような線材によって形成することも考えられるが、図７及び図８に示すように、幅が３〜２０ｍｍ程度の板材によって形成した方がより好ましい。何故なら、このような板材によって形成した方が、防草キャップ３０の筒部３１に対する取り付けを確実かつ簡単にできるだけでなく、抜け止め部４２による施工面１０内の土に対する抵抗を大きくすることができるからである。
【００３５】
従って、この請求項１の防草キャップ３０は、浮き上がり防止手段４０である抜け止め具４０ａの存在によって、係止爪４３が施工面１０（地中）からの抜け止めを果たしており、植生植物５０を植え込んで施工した防草キャップ３０が緑化すべき施工面１０から長期間浮き上がらず、植生植物５０の保護と防草効果を有していて、施工面１０の緑化を確実に行えるものとなっている。
【００３６】
また、上記課題を解決するために、請求項２に係る発明の採った手段は、
「緑化すべき施工面１０上に敷設した防草マット２０に多数形成した各マット開口部２１から、施工面１０の地中に埋め込まれて、内部に植生植物５０が植え込まれる防草キャップ３０であって、
施工面１０の苗床用穴内に埋め込まれることになる筒部３１に、一部が前記地中に突出することになる浮き上がり防止手段４０を取り付けるにあたって、
この浮き上がり防止手段４０を、筒部３１に取り付けられる取付基部４１と、この取付基部４１の一端に一体化した抜け止め部４２と、取付基部４１の他端に一体化した係止爪４３を有した抜け止め具４０ａとし、
係止爪４３を防草マット２０のマット開口部２１近傍に係止したことを特徴とする防草キャップ３０」
である。
【００３７】
すなわち、この請求項２に係る防草キャップ３０では、上記浮き上がり防止手段４０として、取付基部４１の一端に一体化した抜け止め部４２と、取付基部４１の他端に一体化した係止爪４３を有した抜け止め金具４０ａを採用したことは、上述した請求項１のそれと同様であるが、係止爪４３を、図９に示すように、防草マット２０のマット開口部２１近傍に係止できるように、防草マット２０のマット開口部２１近傍の上方側まで延在させたことが、上記請求項１の防草キャップ３０と異なるものである。
【００３８】
このようにした防草キャップ３０は、マット開口部２１から施工面１０の地中内に埋め込んだとき、その抜け止め金具４０ａの係止爪４３が防草キャップ３０上になるから、この係止爪４３を防草マット２０内に差し込むのである。そうすると、この抜け止め金具４０ａが防草マット２０のマット開口部２１近傍を押さえることにもなるから、当該防草キャップ３０の施工によって防草マット２０自体の固定も行えることになるのである。
【００３９】
従って、この請求項２の防草キャップ３０は、浮き上がり防止手段４０である抜け止め具４０ａの存在によって、係止爪４３が施工面１０からの抜け止めを果たすとともに、抜け止め金具４０ａによる防草マット２０のマット開口部２１近傍への押圧を果たしており、植生植物５０を植え込んで施工した防草キャップ３０が緑化すべき施工面１０から長期間浮き上がらず、植生植物５０の保護と防草効果を有していて、施工面１０の緑化を確実に行えるとともに、防草マット２０自体の固定も行えるものとなっている。
【００４０】
なお、この防草キャップ３０では、少なくとも筒部３１を、天然繊維や、パルプ繊維あるいは生分解性樹脂等の自然分解型の材料によって形成したものであり、この筒部３１自体を植生植物５０の肥料とすることができるのである。それだけでなく、この防草キャップ３０は、防草キャップ３０のつば部３２と防草マット２０との間に浮き上がり防止手段４０を配置して、この浮き上がり防止手段４０によってつば部３２の防草マット２０上に対する固定を行うものでもあったから、仮に、筒部３１が先に腐食してしまってつば部３２のみが残存したとしても、残存したつば部３２は防草マット２０上にしっかりと固定されたままとなり、この残存したつば部３２が風に吹かれてあらぬ場所に飛散することもないのである。
【００４１】
従って、この防草キャップ３０は、上記請求項１または請求項２に係る防草キャップ３０と同様な機能を発揮する他、筒部３１自体を植生植物５０の肥料とすることができ、残存したつば部３２が仮にあったとしても、このつば部３２をあらぬ場所に飛散させることもない。
【００４２】
そして、上記課題を解決するために、請求項３に係る発明の採った手段は、
「緑化すべき施工面１０上に、その除草を行った後に防草マット２０を敷設し、
この防草マット２０に多数形成した各マット開口部２１から、施工面１０の地中に形成した苗床用穴内に埋め込まれることになる筒部３１と、これに取り付けた浮き上がり防止手段４０である請求項１または請求項２のいずれかに記載の抜け止め具４０ａと、筒部３１の上端に一体的に形成したつば部３２とを備えた防草キャップ３０を埋め込むにあたって、この防草キャップ３０のつば部３２によって、マット開口部２１の周囲の防草マット２０を被うことにより、防草キャップ３０の筒部３１内以外の施工面１０を露出させないようにするとともに、筒部３１の周囲につば部３２と防草マット２０との重なり部分を積極的に形成した後、
防草キャップ３０の筒部３１内に植生植物を植栽するようにしたことを特徴とする緑化工法」
である。
【００４３】
すなわち、この請求項３に係る緑化工法は、上記請求項１または請求項２に係る防草キャップ３０を積極的に使用するものであり、図１に示すように、例えばヒメイワダレソウを代表とする地被植物を植生植物５０として、この植生植物５０を、緑化すべき法面等の施工面１０全体に植生しようとするものであり、まず、図２に示すように、施工面１０の除草を行うのである。
【００４４】
除草を行った後の施工面１０について、図３に示すようにして、全面に防草マット２０を敷設し、この防草マット２０に多数形成した各マット開口部２１から施工面１０上に防草キャップ３０を埋め込むのである。なお、防草マット２０は、図３中にも示すように、運搬や保管が便利なように、一定幅の長尺なものを巻回してあるが、これを施工面１０上に展開して行くにあたって、その幅方向について重なるようにし、重なった部分は、杭や接着剤等によって隙間ができないように接合される。
【００４５】
この敷設された防草マット２０には、図３〜図６に示すように、マット開口部２１が多数形成してある。これらの各マット開口部２１からは、施工面１０内に、前述してきた防草キャップ３０が埋め込まれるのである。
【００４６】
埋め込まれた防草キャップ３０には、浮き上がり防止手段４０が設けてあるから、この浮き上がり防止手段４０によって、防草キャップ３０の、施工面１０からの抜けが防止されるのである。浮き上がり防止手段４０が抜け止め具４０ａであって、その係止爪４３が筒部３１に係合する場合も、またこの係止爪４３が防草マット２０に係止する場合も、この抜け止め具４０ａの存在によって、防草キャップ３０の施工面１０からの抜けが防止されることは前述した通りである。勿論、この浮き上がり防止手段４０が、つば部３２と防草キャップ３０との間の固定を行う接着剤４０ｂである場合には、この接着剤４０ｂの存在によって、防草キャップ３０の施工面１０からの抜けが防止されることは前述した通りである。
【００４７】
この防草キャップ３０を施工面１０内に埋め込むに当たっては、図４に示すように、防草マット２０に多数形成した各マット開口部２１から、施工面１０に対して苗床用穴１１を手堀りで形成することもよいが、この苗床用穴１１は、図５に示すような穴開け杭６０を使用して形成してもよいものであることは前述した通りである。
【００４８】
また、この防草キャップ３０がつば部３２を有している場合には、このつば部３２によって、図６に示すように、防草マット２０の、マット開口部２１の周囲部分が被われる。これにより、防草キャップ３０の筒部３１内以外の施工面１０が露出されないようになされる。
【００４９】
つまり、この請求項３の緑化工法では、各防草キャップ３０の筒部３１の周囲に、図１及び図６に示すように、つば部３２と防草マット２０との重なり部分２１ａを積極的に形成することもできるものである。このようなつば部３２と防草マット２０との重なり部分２１ａが形成されれば、図１３に示したような隙間は長年にわたって形成されないことになり、雑草の生育に必要な光が防草マット２０下に入らず、雑草が伸び出す余地がなくなるのである。
【００５０】
ここで、防草キャップ３０そのものをパルプやジュート等の天然繊維を材料として形成すれば、全体が雨や露を含んだときしなやかになり、そのつば部３２は防草マット２０の重なり部２１ａ上に自然に垂れ重なって隙間を形成することがない。それだけでなく、この防草キャップ３０は、植生植物５０ヒメイワダレソウを代表とする地被植物が繁茂する頃には、自然に分解生分解して植生植物５０の肥料になるか、施工面１０の一部となってしまうから、何等問題とはならない。
【００５１】
以上のようにして、各防草キャップ３０のつば部３２と防草マット２０との重なり部分２１ａを積極的に形成した後には、当該防草キャップ３０の筒部３１内に植生植物５０を植栽すれば、この緑化工法は完了する。
【００５２】
従って、この請求項３に係る緑化工法は、本発明に係る防草キャップ３０を採用しながら、防草効果が高くて、施工が簡単な工法となっているのである。
【発明の効果】
【００５３】
以上の通り、本発明に係る防草キャップ３０においては、
「緑化すべき施工面１０上に敷設した防草マット２０に多数形成した各マット開口部２１から、施工面１０の地中に埋め込まれて、内部に植生植物５０が植え込まれる防草キャップ３０であって、
前記地中に埋め込まれることになる筒部３１に、一部が前記地中に突出することになる浮き上がり防止手段４０を取り付けるにあたって、
この浮き上がり防止手段４０を、筒部３１に取り付けられる取付基部４１と、この取付基部４１の一端に一体化した抜け止め部４２と、取付基部４１の他端に一体化した係止爪４３を有した抜け止め具４０ａとし、
係止爪４３を筒部３１に係止したこと」
あるいは、
「緑化すべき施工面１０上に敷設した防草マット２０に多数形成した各マット開口部２１から、施工面１０の地中に埋め込まれて、内部に植生植物５０が植え込まれる防草キャップ３０であって、
前記地中に埋め込まれることになる筒部３１に、一部が前記地中に突出することになる浮き上がり防止手段４０を取り付けるにあたって、
この浮き上がり防止手段４０を、筒部３１に取り付けられる取付基部４１と、この取付基部４１の一端に一体化した抜け止め部４２と、取付基部４１の他端に一体化した係止爪４３を有した抜け止め具４０ａとし、
係止爪４３を防草マット２０のマット開口部２１近傍に係止したこと」
にその構成上の主たる特徴があり、これにより、植生植物５０を植え込んで施工した防草キャップ３０が緑化すべき施工面１０から長期間浮き上がらないようにすることができて、施工面１０の緑化を確実に行うことができるのである。
【００５４】
また、本発明に係る緑化工法によれば、
「緑化すべき施工面１０上に、その除草を行った後に防草マット２０を敷設し、
この防草マット２０に多数形成した各マット開口部２１から、施工面１０の地中に形成した苗床用穴内に埋め込まれることになる筒部３１と、これに取り付けた浮き上がり防止手段４０である請求項１または請求項２のいずれかに記載の抜け止め具４０ａと、筒部３１の上端に一体的に形成したつば部３２とを備えた防草キャップ３０を埋め込むにあたって、この防草キャップ３０のつば部３２によって、マット開口部２１の周囲の防草マット２０を被うことにより、防草キャップ３０の筒部３１内以外の施工面１０を露出させないようにするとともに、筒部３１の周囲につば部３２と防草マット２０との重なり部分を積極的に形成した後、
防草キャップ３０の筒部３１内に植生植物を植栽するようにしたことを特徴とする緑化工法」
にその特徴があり、これにより、本発明に係る防草キャップ３０を採用しながら、防草効果が高くて、施工が簡単な緑化工法を提供することができるのである。
【発明を実施するための最良の形態】
【００５５】
次に、以上のように構成した各請求項に係る発明を、図面に示した最良の形態に基づいて説明すると、図１、図９、及び図１０には、本発明に係る緑化工法の施工後の様子が、本発明に係る一つの防草キャップ３０を中心に示してある。
【００５６】
この緑化工法では、簡単に言えば、図２に示したような草刈りをした施工面１０上に、マット開口部２１を有する防草マット２０を図３に示したように敷設し、このマット開口部２１から施工面１０に形成した苗床用穴１１内に、浮き上がり防止手段４０を取り付けた防草キャップ３０を埋め込み、この防草キャップ３０の筒部３１内に、図４に示したように植生植物５０を植え付けるのである。
【００５７】
この植生植物５０としては、特に限定されるものではないが、前述したように、ヒメイワダレソウを代表とする「地被植物」が適している。「地被植物」は、株元から「匍匐茎」を周囲に延ばし、さらにこの匍匐茎の節目から根を出して増殖するものであり、匍匐茎からの根が十分活着できる環境であれば、他の雑草の繁茂を抑制する防草マット２０上であっても、十分生育しかつ繁茂し得るものである。
【００５８】
この防草キャップ３０を施工面１０内に埋め込むに当たっては、図４に示したように、防草マット２０に多数形成した各マット開口部２１から、施工面１０に対して苗床用穴１１を手堀りで形成することもよいが、この苗床用穴１１は、図５あるいは図１１に示したような穴開け杭６０を使用して形成してもよいものである。
【００５９】
この穴開け杭６０は、図５及び図１１に示したように、その先端（下端）を尖らせるとともに、その外径を筒部３１の内径とほぼ同じとなるようにしてあり、これを槌等によって施工面１０に打ち込むことにより、施工面１０に苗床用穴１１を簡単に形成できるものである。勿論、このような穴開け杭６０を使用することにより、防草キャップ３０に合わせた大きさの苗床用穴１１を形成することができるだけでなく、緑化のための施工作業を効率的に行えることになる。
【００６０】
また、この穴開け杭６０によって形成された苗床用穴１１の内面は、手堀によって形成したそれに対して十分な固さを有しているから、本発明に係る防草キャップ３０の挿入が簡単に行えることは勿論、抜け止め具４０ａの抜け止め部４２がしっかりと係合するだけでなく、この抜け止め具４０ａによる防草キャップ３０の抜け止めをもしっかりと行うことになる。
【００６１】
防草マット２０は、施工面１０上に直接敷設されるものであり、施工面１０上になる裏面マットと、この裏面マット上に一体化した表層マットとからなるものであるが、図４にも示したように、植生植物５０の栽培に適した間隔で多数のマット開口部２１が形成される。このマット開口部２１は、防草マット２０自体を切り取った穴であってもよいが、防草マット２０に切込を入れて、この切込を広げたものであってもよい。
【００６２】
この防草マット２０の裏面マットは、施工面１０内に対する表面側からの通水性と遮光性とを有するものであり、例えば天然繊維を使用して、目の細かい不織布や薄いマット状にしたものである。一方、この裏面マット上に一体化される表層マットは、例えば天然繊維を使用して、目の細かい不織布や薄いマット状にしたものであり、植生植物５０の匍匐茎５１への給水を許容するための保水性を備えたものである。これらの裏面マットや表層マットを、天然繊維を材料として構成したのは、天然繊維は施工面１０中のバクテリアによって生分解して土に還るため、当該緑化工法を施工した周囲環境に悪影響を与えないからである。
【００６３】
また、以上の防草マット２０に形成した各マット開口部２１から施工面１０内に埋め込まれる防草キャップ３０は、本最良形態では古紙を再生して得られるパルプ等の天然繊維を主体として一体的に形成したものであり、図７に示したように、施工面１０内に埋め込まれることになる筒部３１と、この筒部３１の上端に一体的に形成したつば部３２とから構成したものである。また、筒部３１の一部には、浮き上がり防止手段４０である後述する抜け止め具４０ａの一部を係止するための係止穴３３が、図７の（ａ）にも示したように、形成してある。
【００６４】
これらの筒部３１やつば部３２は、図６に示した最良形態では平面視丸形状のものとしたが、平面視四角形状のものとして実施してもよい。勿論、この防草キャップ３０は、これを多数重ねることができるようにするために、その筒部３１を先窄み形状のものにするとよい。
【００６５】
各防草キャップ３０の筒部３１上に一体的なつば部３２は、当該防草キャップ３０を防草マット２０のマット開口部２１内に挿入したとき、このマット開口部２１の周囲にある防草マット２０上を被うものであり、筒部３１の周囲に防草マット２０との重なり部分２１ａを積極的に形成するものである。つまり、この防草キャップ３０のつば部３２は、防草マット２０との間に、光が入り込む隙間を絶対に形成しないようにするものであり、防草マット２０と重なって防草マット２０に重なり部２１ａを積極的に形成することになるものである。このつば部３２を抜け止め金具４０ａの係止爪４３によって防草マット２０上に固定する場合には、このつば部３２に係止穴３３と同様な係止穴を設けて実施する。
【００６６】
このつば部３２は、筒部３１とともに紙パルプ等の天然繊維を材料として形成したものであるから、雨や露を含めば柔らかくなって、防草マット２０の重なり部２１ａ上に完全に密着し得るような形状に馴染むことになる。つまり、施工後の遮光性を自然に十分なものとなるものである。なお、このつば部３２は、防草キャップ３０が施工面１０内に打ち込まれる際に槌が当たることがあるため、上述した筒部３１のように補強リブを形成しなければならないかもしれないという危惧があったが、補強リブを形成したり波状に形成すると却って筒部３１から折れやすくなるため、平面的なもので十分であった。
【００６７】
以上のように構成した防草キャップ３０には、図７に示したように、浮き上がり防止手段４０である抜け止め具４０ａが後付で取り付けられる。抜け止め具４０ａの形状は種々考えられるが、最良形態では、図８の（ａ）及び（ｂ）に示したように、筒部３１に形成した係止穴３３に係止される係止爪４３と、この係止爪４３と一体的で筒部３１を挟み込む取付基部４１と、この取付基部４１の先端に一体化した抜け止め部４２とを有したものとした。なお、係止爪４３は、つば部３２に形成した係止穴に係止されることもある。
【００６８】
このような抜け止め具４０ａとしては、針金のような線材によって形成することも考えられるが、最良形態では、図７及び図８に示したように、幅が３〜２０ｍｍ程度の板材によって形成するようにしている。このような板材によって形成した方が、防草キャップ３０に形成してある係止穴３３への係止爪４３の係止が確実になるだけでなく、抜け止め部４２による施工面１０中への抵抗を大きくすることができるからである。
【００６９】
この取付基部４１の、筒部３１内に入り部分先端には、図７の（ｂ）に示すように、係止爪４３が一体的に形成してあり、この係止爪４３は筒部３１に形成した係止穴３３に係止されて、当該抜け止め具４０ａの防草キャップ３０に対する一体化を確実にするものである。また、上述したように、係止爪４３は、つば部３２に形成した係止穴に係止されて、当該つば部３２を防草マット２０側に固定して、当該防草キャップ３０の防草マット３０に対する一体化を確実にすることもある。
【００７０】
そして、取付基部４１の外側先端には、図７の（ａ）に示すように、抜け止め部４２が一体化してある。この抜け止め部４２は、施工面１０内に突き刺さって強力な抵抗となり、防草キャップ３０を引き抜こうとしても抜けないようにするものである。
【００７１】
また、本最良形態では、図８の（ｂ）に示したように、取付基部４１の係止爪４３側部分に折曲部４１ａを形成しているが、この折曲部４１ａは、当該取付基部４１の筒部３１に対する圧着力を増大させるものである。
【００７２】
本発明の緑化工法で採用している植生植物５０は、ヒメイワダレソウを代表とする地被植物であるが、この地被植物の他の例としては、例えばクローバーを代表とする芝草類、スイカズラ、ヘデラ、ツルニチニチソウを代表とするのツル性植物等がある。中でも、ヒメイワダレソウやシバザクラは、匍匐茎５１を十分伸ばす性質を有することから、例えば道路や線路の法面を施工面１０とする場合に非常に適している。
【００７３】
さて、図９には、請求項２に係る防草キャップ３０が示してあるが、この防草キャップ３０では、その浮き上がり防止手段４０を抜け止め具４０ａとしたものであり、この抜け止め具４０ａは、筒部３１に取り付けられる取付基部４１と、この取付基部４１の一端に一体化した抜け止め部４２と、取付基部４１の他端に一体化した係止爪４３を有したものである。
【００７４】
このようにした防草キャップ３０は、マット開口部２１から施工面１０内に埋め込んだとき、その抜け止め金具４０ａの係止爪４３が防草キャップ３０上になるから、この係止爪４３を防草マット２０内に差し込むのである。そうすると、この抜け止め金具４０ａが防草マット２０のマット開口部２１近傍を押さえることにもなるから、当該防草キャップ３０の施工によって防草マット２０自体の固定も行えることになるのである。
【００７５】
なお、この図９に示した最良形態では、防草キャップ３０が筒部３１の上端につば部３２を有した例が示してあるが、上記請求項２に係る防草キャップ３０としては、このつば部３２は必ずしも必要なものではない。
【００７６】
なお、上記防草キャップ３０については、
「緑化すべき施工面１０上に敷設した防草マット２０に多数形成した各マット開口部２１から、施工面１０に形成した苗床用穴内に埋め込まれて、内部に植生植物が植え込まれる防草キャップ３０であって、
施工面１０の苗床用穴内に埋め込まれることになる筒部３１と、この筒部３１の上端に一体的に形成されて、マット開口部２１の周囲を被って、筒部３１の周囲に防草マット２０との重なり部分を積極的に形成することになるつば部３２と、このつば部３２と防草マット２０との固定を行う浮き上がり防止手段４０とを備えた」ものとすることもできる。
【００７７】
すなわち、この例に係る防草キャップ３０は、図７に示すように、施工面１０内に埋め込まれることになる筒部３１と、この筒部３１の上端に一体的に形成されて、マット開口部２１の周囲を被って、筒部３１の周囲に防草マット２０との重なり部分２１ａを積極的に形成することになるつば部３２と、このつば部３２と防草マット２０との固定を行う浮き上がり防止手段４０とを備えたものである。
【００７８】
筒部３１は、上述した請求項１または請求項２におけるのと同様に、防草マット２０のマット開口部２１から施工面１０内に挿入されたり打ち込まれたりする部分であり、合成樹脂や、最良形態のように天然繊維や、パルプ繊維あるいは生分解性樹脂等の自然分解性材料によって一体的に形成したもので所定の剛性を有するから、次に述べるつば部３２の保持は勿論、上述した施工面１０内への挿入や打ち込みに十分耐え得るものとなっている。
【００７９】
一方、つば部３２は、筒部３１と同様に、合成樹脂や、最良形態のように天然繊維や、パルプ繊維あるいは生分解性樹脂等の自然分解性材料によって一体的に形成したものであり、防草マット２０に形成されているマット開口部２１より十分大きく広がったものである。そして、この防草キャップ３０が施工された後には、図１及び図６に示すように、マット開口部２１の周囲を被って、筒部３１の周囲に防草マット２０との重なり部分２１ａを積極的に形成するのである。
【００８０】
以上の結果、当該防草キャップ３０のつば部３２によって、防草マット２０の各マット開口部２１の周囲にある部分が、図６中の点線にて示すように、重なり部２１ａとなれば、この重なり部２１ａによって、図１に示すように、施工面１０中にある雑草の芽または根茎が延びてくることはない。何故なら、雑草が生育するには「光」が必要なのであるが、防草マット２０につば部３２との重なり部２１ａが存在すれば光が遮断されて、施工面１０中に入る余地は全くなく、仮に雑草の根等が施工面１０中に残っていたとしても、この雑草が伸びてくることはないからである。
【００８１】
そして、この防草キャップ３０においては、図１０に示すように、防草キャップ３０のつば部３２と防草マット２０との間に浮き上がり防止手段４０を配置したものであり、この浮き上がり防止手段４０はつば部３２の防草マット２０上に対する固定を行うものである。
【００８２】
この浮き上がり防止手段４０は、つば部３２の防草マット２０上に対する固定を行うものであれば、例えば目串や、防草マット２０上から専用装置によって打ち込まれるステープル等何であってもよいが、後述する最良形態では、接着剤４０ｂとしている。この接着剤４０ｂとしては、文字通り接着剤であってもよいが、例えば両面接着剤付きシートであってもよいものである。
【００８３】
このような浮き上がり防止手段４０が、つば部３２と防草マット２０とを固定していれば、防草キャップ３０の施工面１０からの浮き上がりが防止されるとともに、防草マット２０自体の固定も行えるものとなっている。また、仮に、筒部３１が先に腐食してしまってつば部３２のみが残存したとしても、残存したつば部３２は防草マット２０上にしっかりと固定されたままとなり、この残存したつば部３２が風に吹かれてあらぬ場所に飛散することもないのである。
【００８４】
従って、この防草キャップ３０は、浮き上がり防止手段４０の存在によって、施工面１０からの抜け止めを果たしており、植生植物５０を植え込んで施工した防草キャップ３０が緑化すべき施工面１０から長期間浮き上がらず、植生植物５０の保護と防草効果を有していて、施工面１０の緑化を確実に行えるとともに、防草マット２０自体の固定も行えるものとなっている。また、この防草キャップ３０は、防草マット２０との隙間をつば部３２によって完全に無くすことができて、防草効果を確実にするものとなっている。
【００８５】
また、上記の防草キャップ３０については、少なくとも筒部３１を自然分解型の材料によって形成することもできる。
【００８６】
すなわち、この防草キャップ３０では、少なくとも筒部３１を、天然繊維や、パルプ繊維あるいは生分解性樹脂等の自然分解型の材料によって形成したものであり、この筒部３１自体を植生植物５０の肥料とすることができるのである。それだけでなく、この防草キャップ３０は、防草キャップ３０のつば部３２と防草マット２０との間に浮き上がり防止手段４０を配置して、この浮き上がり防止手段４０によってつば部３２の防草マット２０上に対する固定を行うものでもあったから、仮に、筒部３１が先に腐食してしまってつば部３２のみが残存したとしても、残存したつば部３２は防草マット２０上にしっかりと固定されたままとなり、この残存したつば部３２が風に吹かれてあらぬ場所に飛散することもないのである。
【００８７】
従って、この筒部３１を自然分解型の材料によって形成した防草キャップ３０では、上記各種防草キャップ３０と同様な機能を発揮する他、筒部３１自体を植生植物５０の肥料とすることができ、残存したつば部３２が仮にあったとしても、このつば部３２をあらぬ場所に飛散させることもない。
【００８８】
図１０には、防草キャップ３０を施工した他の例が示してあるが、この防草キャップ３０においては、防草キャップ３０のつば部３２と防草マット２０との間に浮き上がり防止手段４０を配置したものであり、この浮き上がり防止手段４０の実質的なものは接着剤４０ｂである。つまり、この浮き上がり防止手段４０である接着剤４０ｂは、防草キャップ３０のつば部３２を、防草マット２０上に対して固定するものである。
【００８９】
この浮き上がり防止手段４０である接着剤４０ｂは、つば部３２の防草マット２０上に対する固定を行うものであれば、例えば目串や、防草マット２０上から専用装置によって打ち込まれるステープル等何であってもよく、またこの接着剤４０ｂとしては、両面接着剤付きシートであってもよいものである。
【００９０】
このような浮き上がり防止手段４０が、つば部３２と防草マット２０とを固定していれば、防草キャップ３０の施工面１０からの浮き上がりを防止するし、仮に、筒部３１が先に腐食してしまってつば部３２のみが残存したとしても、残存したつば部３２を防草マット２０上にしっかりと固定することになる。
【産業上の利用可能性】
【００９１】
本発明は、新規造成地は勿論のこと、既に雑草が生い茂っている道路や線路の法面等を代表とする施工面にも適用できるものであるから、既成施工面の管理あるいは養生にも適用できて、施工面管理を容易にすることもできるものである。
【００９２】
また、本発明が実施されれば、防草マット２０や防草キャップ３０として、古紙や燃やすしかなかった天然資源を大量に使用できることになり、所謂ゴミ処理問題も解決できるものである。しかも、これらの防草マット２０や防草キャップ３０は生分解して土に還るから、周辺環境に悪影響を与えることもないのである。
【図面の簡単な説明】
【００９３】
【図１】本発明に係る防草キャップの施工後の様子を示すもので、図６中の１−１線    に沿ってみた縦断面図である。
【図２】施工面上の雑草刈りを行っている様子を示す斜視図である。
【図３】施工面上に防草マットを敷設している様子を示す斜視図である。
【図４】防草マットに形成してあるマット開口部に防草キャップを挿入したり、この防草キャップ中に植生植物を植栽したりしている様子を示す斜視図である。
【図５】施工面に穴開け杭を使用して苗床用穴を形成している様子を示す部分縦断面図である。
【図６】本発明に係る工法を施工した後の部分平面図である。
【図７】本発明に係る防草キャップを示すもので、（ａ）は正面図、（ｂ）は縦断面図である。
【図８】同防草キャップに取り付けられる抜け止め具を示すもので、（ａ）は斜視図、（ｂ）は側面図である。
【図９】請求項２に係る防草キャップの施工後の様子を示すもので、図６中の１−１線に沿ってみた縦断面図である。
【図１０】他の例に係る防草キャップの施工後の様子を示すもので、図６中の１−１線に沿ってみた縦断面図である。
【図１１】施工面に穴開け杭を使用して苗床用穴を形成している様子を示す部分縦断面図である。
【図１２】従来技術を示す部分斜視図である。
【図１３】従来技術の施工後の様子を示すもので、（ａ）は苗ポットを使用していない場合の縦断面図、（ｂ）は苗ポットを使用している場合の縦断面図である。
【符号の説明】
【００９４】
１０    施工面
１１    苗床用穴
２０    防草マット
２１    マット開口部
２１ａ  重なり部
３０    防草キャップ
３１    筒部
３２    つば部
３３    係止穴
４０    浮き上がり防止手段
４０ａ    抜け止め具
４０ｂ    接着剤
４１    取付基部
４１ａ  折曲部
４２    抜け止め部
４３    係止爪
５０    植生植物
５１    匍匐茎
５２    根または根茎
６０    穴開け杭
【図１】
0004305561.tif 000002
【図２】
0004305561.tif 000003
【図３】
0004305561.tif 000004
【図４】
0004305561.tif 000005
【図５】
0004305561.tif 000006
【図６】
0004305561.tif 000007
【図７】
0004305561.tif 000008
【図８】
0004305561.tif 000009
【図９】
0004305561.tif 000010
【図１０】
0004305561.tif 000011
【図１１】
0004305561.tif 000012
【図１２】
0004305561.tif 000013
【図１３】
0004305561.tif 000014